(57)【特許請求の範囲】
【請求項１】
並べて配置され且つ所定の張力に従って重ね合わせた包装体の形態にて配置された複数のコイルを形成し得るように少なくとも一本のコード（５）が巻き取られた略円筒形のコア（３）と、
該コア（３）の両端に配置され、その各々がコア（３）自体と同心状の円周方向縁（４ａ）を呈する、前記コイルを保持する一対のディスク状フランジ（４）と、
少なくとも一つの該ディスク状フランジ（４）の前記円周方向縁（４ａ）に近接して形成され且つコア（３）に巻き取られたコード（５）の一端部分（７）に摺動可能に係合し、該コード（５）を前記リール（２）に関して円周方向に位置決めし得るように配置された少なくとも一つの係合シート（６）と、
ディスク状フランジ（４）の外面（４ｂ）に締結され且つ前記コード（５）の端末部分（７ａ）に係合すると共に、該端末部分（７ａ）を前記ディスク状フランジ（４）の外面に固着し得るように配置された少なくとも一つのクリップ（８）とを備える、コード及びその他の同様の細線、特にワイヤーの格納リールにして、
互いに対面する位置にて少なくとも一つの前記ディスク状フランジ（４）の外面（４ｂ）から突出して、該当するクリップを枢動可能に取り付ける一対の支持タブ（９）を備え、
該クリップ（８）が、
フランジ（４）の外面（４ｂ）に対して平行な枢軸線「Ｘ」に従って前記支持タブ（９）の一つに配置された該当する関節接合シート（９ａ）に回転可能に係合する、対向する位置に配置された一対の端末付属部分（１０）を備える細線状ばね要素（１１）を備え、
該細線状ばね要素（１１）が、前記外面（４ｂ）に近接して且つ該外面に対し平行に配置された共通面内に位置する連続的な対向部分（１１ａ）に従って曲げられ、
該細線状ばね要素（１１）が、
枢軸線「Ｘ」まで略半径方向に伸長し且つコード（５）の端末部分（７ａ）に作用可能に係合する共に、該端末部分を側部フランジ（４）の外面（４ｂ）に固着し得るように配置された、少なくとも一つの保持ループ（１２）と、
該保持ループ（１２）の反対側にて枢軸線「Ｘ」の半径方向に突出する少なくとも一つの逆方向ループ（１３）であって、ディスク状フランジ（４）に対向状態に反作用し、コードの端末部分（７ａ）を外面と保持ループ自体との間に挿入した後、前記保持ループ（１２）が前記外面（４ｂ）から動いて離れる動作に弾性的に抵抗する、少なくとも一つの逆方向ループ（１３）とを形成し、
前記細線状ばね要素（１１）の、一対の端末付属部分（１０）、連続的な対向部分（１１ａ）、保持ループ（１２）及び逆方向ループ（１３）が同一の共通平面内に配置されていることを特徴とする格納リール。
【請求項２】
請求項１に記載の格納リールにして、前記細線状ばね要素（１１）がハーモニック鋼から成ることを特徴とする格納リール。
【請求項３】
請求項１に記載の格納リールにして、前記細線状ばね要素（１１）が少なくとも２つの保持ループ（１２）を形成し、前記逆方向ループ（１３）が前記保持ループに関して略中心位置に配置されることを特徴とする格納リール。
【請求項４】
請求項３に記載の格納リールにして、前記細線状ばね要素（１１）の直線状の伸長距離の全体が８０ｍｍ乃至１２０ｍｍの範囲であることを特徴とする格納リール。
【請求項５】
請求項２に記載の格納リールにして、前記細線状ばね要素（１１）の断面外形の直径が１乃至１．５ｍｍの範囲であることを特徴とする格納リール。
【請求項６】
請求項３に記載の格納リールにして、前記保持ループ（１２）が前記枢軸線「Ｘ」から１５ｍｍ乃至１８ｍｍの距離だけ離間された頂点（１２ａ）を有することを特徴とする格納リール。
【請求項７】
請求項６に記載の格納リールにして、前記逆方向ループ（１３）が前記枢軸線「Ｘ」から５ｍｍ乃至１０ｍｍの距離だけ離間された頂点（１３ａ）を有することを特徴とする格納リール。
【請求項８】
細長又は板状の要素を該要素の静止面（４）に対してクランプする装置にして、
互いに対面する位置にて前記静止面（４）に形成され、適当なクリップを前記面に係合させる保持手段（９）と、
該保持手段が係合するクリップとを備え、
該クリップが、
前記静止面（４）に対して平行な枢軸線「Ｘ」に従って、前記保持手段（９）内に配置された該当するシート（９ａ）に回転可能に係合する、対向する位置に配置された一対の端末付属部分（１０）を備える細線状ばね要素（１１）であって、前記静止面に対し平行に配置された共通面内に位置する連続的な対向部分（１１ａ）に従って曲げられる前記細線状ばね要素を備え、
該細線状ばね要素が、
枢軸線「Ｘ」まで略半径方向に伸長し且つ細長、又は板状の要素に作用可能に係合すると共に、該要素を前記静止面（４ｂ）に固着し得るように配置された少なくとも一つの保持ループ（１２）と、
該保持ループ（１２）の反対側にて枢軸線「Ｘ」の半径方向に突出する少なくとも一つの逆方向ループ（１３）であって、前記静止面（４）に対向状態に反作用し、細長、又は板状要素を静止面（４）と保持ループ（１２）との間に挿入した後、前記保持ループ（１２）が前記静止面（４）から動いて離れる動作に弾性的に抵抗する少なくとも一つの逆方向ループ（１３）とを形成し、
前記細線状ばね要素（１１）の、一対の端末付属部分（１０）、連続的な対向部分（１１ａ）、保持ループ（１２）及び逆方向ループ（１３）が同一の共通平面内に配置されていることを特徴とするクランプ装置。
【請求項９】
細長又は板状の要素を該要素の静止面（４）に対してクランプするクリップにして、
相互に対向する位置にて前記静止面に形成された該当する保持手段（９）に回転可能に係合するよう、前記静止面（４）に対して平行な枢軸線「Ｘ」に従って、対向する位置に配置された一対の端末付属部分（１０）を備える細線状ばね要素（１１）であって、前記静止面に対し平行に配置された共通面内に位置する連続的な対向部分（１１ａ）に従って曲げられる細線状ばね要素を備え、
該細線状ばね要素が、
枢軸線「Ｘ」まで略半径方向に伸長し且つ細長、又は板状の要素に作用可能に係合すると共に、該要素を前記静止面（４ｂ）に固着し得るように配置された少なくとも一つの保持ループ（１２）と、
該保持ループ（１２）の反対側にて枢軸線「Ｘ」の半径方向に突出する少なくとも一つの逆方向ループ（１３）であって、前記静止面（４）に対向状態に反作用し、細長、又は板状要素を静止面（４）と保持ループとの間に挿入した後、前記保持ループ（１２）が前記静止面（４）から動いて離れる動作に弾性的に抵抗する少なくとも一つの逆方向ループ（１３）とを形成し、
前記細線状ばね要素（１１）の、一対の端末付属部分（１０）、連続的な対向部分（１１ａ）、保持ループ（１２）及び逆方向ループ（１３）が同一の共通平面内に配置されていることを特徴とするクリップ。
【発明の詳細な説明】
【０００１】
【産業上の利用分野】
本発明は、格納リールのディスク状フランジの周縁に近接して形成された少なくとも一つの係合シート（ｓｅａｔ）であって、その端部にてディスク状フランジを支持するコアの周りに巻かれたコードの一端部分に摺動可能に係合して、格納リールに関してその端部分自体の円周方向位置を固定し得るように配置された、少なくとも一つの係合シートと、側部フランジの外面に固着され且つ上記コードの端末部分に係合して、該端末部分をその外面に固定し得るように配置された少なくとも一つのクリップとを備える型式の格納リールに巻き取ったコードの端末部分を固着する装置に関する。
【０００２】
【従来の技術】
本発明は、概ね直径０．５乃至１．５ｍｍの範囲のワイヤー、又は同様の細線状の製造物品から成るコードであって、通常、自動車のタイヤ、コンベヤベルト、パイプ等のエラストマー的材料から成る物品の強化構造体の製造に使用されるコードの格納及び輸送に使用される型式の格納リールに関するが、かかる格納リールにのみ限定されるものではない。
【０００３】
エラストマー的材料から成る製造物品の強化構造体に使用されるコードは、適当なコード製造機械によって製造され、また、その製造機械が製造されたコードを適当な格納リール上に巻き取ることをも行うことが公知である。この格納リールは、次に、コードの格納に使用され、また、製造ステーションからコードが実際に使用される箇所まで輸送する段階中に使用され、該格納リールは、該コードにより製造される強化構造体を製造し得るようにした機械に対する適当な供給リールとなる。
【０００４】
該格納リールは、基本的に、略円筒形のコアを備えており、製造中のコードがこのコアに巻かれ、並んだ関係で且つ重なり合った包装体状に連続的に配置されたコイルを形成する。コイル状の包装体を適宜に保持するため、該コアと同心状の２つのディスク状フランジがコアの両端に関係付けられている。該フランジの外径が、リールにコードを巻き取って形成されるコイル状包装体に許容可能な最大直径を略決定する。
【０００５】
コードを巻き取る張力が緩んだ後に、コイルの巻き懈けを防止するため、コードの端部分を適宜に保持し得るようにした装置がリールのディスク状フランジの少なくとも一つに関係付けられている。
【０００６】
この点に関して、現在、使用されているリールは、基本的に、コードの端部分に摺動可能に係合して、上記装置によってリールに関するコードの円周方向の位置を固定する目的にて、少なくとも一つのフランジの円周方向縁に近接して形成された一つの貫通穴を備えている。この貫通穴からディスク状フランジの外側に向けて伸長するコードの端末部分は、クリップに係合する。該クリップは、基本的に、ハーモニック（ｈａｒｍｏｎｉｃ）鋼（即ち、マンガン−シリコン鋼）材料から成る薄板要素にて形成され、この薄板要素は、ディスク状フランジの円周方向縁をその薄板要素の一端にクリップ止めすることによって、ディスク状フランジに固定されている。故に、コードの端末部分は、押し込み嵌めによりディスク状フランジの外面とクリップとの間に係合されて、クリップ自体のばね反動力によって生じた摩擦作用により固定状態に保持される。
【０００７】
フランジの円周方向縁にクリップ止めして取り付けるときに顕著な曲げ応力を受けるため、頻繁に破損するクリップの交換を容易にするための装置が開発されている。該装置において、クリップの固定は、ディスク状フランジの円周方向縁を外方に切削して形成されたえぐり部分内にその端末付属部分をスナップ嵌めすることで行われるようにしてある。
【０００８】
【発明が解決しようとする課題】
クリップを便宜な形状としたハーモニック鋼材料の細線状要素で形成するならば、クリップの内部応力を分散させる点で顕著な改善が為され、破損したときに、クリップの交換が容易且つ安価に行い得ることが確認されている。本発明は、コード等の格納リールにおけるかかるクリップを提供することを目的とする。
【０００９】
【課題を解決するための手段】
本発明は、一つの実施例において、並べて配置され且つ所定の張力に従って重ね合わせた包装体の形態にて配置された複数のコイルを形成し得るように少なくとも一本のコードが巻き取られた略円筒形のコアと、該コアの両端に配置され、その各々がコア自体と同心状の円周方向縁を呈する、上記コイルを保持する一対のディスク状フランジと、少なくとも一つの該ディスク状フランジの上記円周方向縁に近接して形成され且つコアに巻き取られたコードの一端部分に摺動可能に係合し、該コードを上記リールに関して円周方向に固定し得るように配置された少なくとも一つの係合シートと、ディスク状フランジの外面に締結され且つ上記コードの端末部分に係合すると共に、該端末部分をフランジの外面に固着し得るように配置された少なくとも一つのクリップとを備える、コード及びその他の細線、特にワイヤーの格納リールにして、互いに対面する位置にて少なくとも一つの上記ディスク状フランジの外面から突出して、該当するクリップを枢動可能に取り付ける一対の支持タブと、クリップとを備え、該クリップが、フランジの外面に対して平行な枢軸線に従って上記支持タブの一つに配置された該当する関節接合シートに回転可能に係合する、対向する位置に配置された一対の端末付属部分を備える細線状ばね要素であって、上記外面に近接して且つ該外面に対し平行に配置された共通面内に位置する連続的な対向部分に従って曲げられる細線状ばね要素を備え、該細線状ばね要素が、枢軸線まで略半径方向に伸長し且つコードの端末部分に作用可能に係合する共に、該端末部分を側部フランジの外面に固着し得るように配置された少なくとも一つの保持ループと、該保持ループの反対側にて枢軸線の半径方向に突出する少なくとも一つの逆方向ループであって、ディスク状フランジに対向状態に反作用し、コードの端末部分を外面と保持ループ自体との間に挿入した後、保持ループが上記外面から動いて離れる動作に弾性的に抵抗する少なくとも一つの逆方向ループとを形成し、
前記細線状ばね要素（１１）の、一対の端末付属部分（１０）、連続的な対向部分（１１ａ）、保持ループ（１２）及び逆方向ループ（１３）が同一の共通平面内に配置されていることを特徴とする格納リールに関する。
【００１０】
更に詳細には、上記細線状ばね要素が、全体の直線状の伸長程度が８０ｍｍ乃至１２０ｍｍであり、その断面外形の直径が１乃至１．５ｍｍの範囲であることが望ましい。
【００１１】
上記保持ループは、上記枢軸線から１５ｍｍ乃至１８ｍｍの距離だけを離間した頂点を備えることが有利である。
【００１２】
一方、該逆方向ループは、上記軸線から５ｍｍ乃至１０ｍｍの距離だけを離間した頂点を備えている。
【００１３】
本発明は、第二の実施例において、細長又は板状の要素を該要素の静止面に対してクランプする装置であって、互いに対面する位置にて上記静止面に形成され、適当なクリップを上記面に係合させる保持手段と、該保持手段が係合するクリップとを備え、該クリップが、上記静止面に対して平行な枢軸線に従って、上記保持手段内に配置された該当するシートに回転可能に係合する、対向する位置に配置された一対の端末付属部分を備える細線状ばね要素であって、上記静止面に対し平行に配置された共通面内に位置する連続的な対向部分に従って曲げられる細線状ばね要素を備え、該細線状ばね要素が、枢軸線まで略半径方向に伸長し且つ細長、又は板状の要素に作用可能に係合すると共に、該要素を上記静止面に固着し得るように配置された少なくとも一つの保持ループと、該保持ループの反対側にて枢軸線の半径方向に突出する少なくとも一つの逆方向ループであって、上記静止面に対向状態に反作用し、細長、又は板状要素を静止面と保持ループとの間に挿入した後、保持ループが上記静止面から動いて離れる動作に弾性的に抵抗する少なくとも一つの逆方向ループとを形成し、前記細線状ばね要素（１１）の、一対の端末付属部分（１０）、連続的な対向部分（１１ａ）、保持ループ（１２）及び逆方向ループ（１３）が同一の共通平面内に配置されていることを特徴とするクランプ装置に関する。
【００１４】
本発明は、第三の特徴において、細長又は板状の要素を該要素の静止面に対してクランプするクリップであって、上記静止面に対して平行な枢軸線に従って、相互に対向する位置にて上記静止面に形成された該当する保持手段に回転可能に係合する、対向する位置に配置された一対の端末付属部分を備える細線状ばね要素であって、上記静止面に対し平行に配置された共通面内に位置する連続的な対向部分に従って曲げられる細線状ばね要素を備え、該細線状ばね要素が、枢軸線まで略半径方向に伸長し且つ細長、又は板状の要素に作用可能に係合すると共に、該要素を上記静止面に固着し得るように配置された少なくとも一つの保持ループと、該保持ループの反対側にて枢軸線の半径方向に突出する少なくとも一つの逆方向ループであって、上記静止面に対向状態に反作用し、細長、又は板状要素を静止面と保持ループとの間に挿入した後、保持ループが上記静止面から動いて離れる動作に弾性的に抵抗する少なくとも一つの逆方向ループとを形成し、前記細線状ばね要素（１１）の、一対の端末付属部分（１０）、連続的な対向部分（１１ａ）、保持ループ（１２）及び逆方向ループ（１３）が同一の共通平面内に配置されていることを特徴とするクリップに関する。
【００１５】
【実施例】
本発明の上記以外の特徴及び利点は、本発明に従って格納リールに巻き取ったコードの端末部分を定着する装置の好適な実施例に関する以下の詳細な説明から一層明らかになるであろう。この説明は、添付図面に関して非限定的な一例として記載したものである。
【００１６】
図面を参照すると、本発明に従って格納リールに巻き取ったコードの一端末部分を定着する装置が概ね参照符号１で示してある。
【００１７】
本明細書の以下の説明において、「コード」という語は、撚った状態の異なる一本の基本的ワイヤー又はストランドの束であるコードと、例えば上記ストランドの一つのような概ね細長の細線状要素との双方を意味するために全体として使用する。
【００１８】
上記図面から理解されるように、該装置は、概ね参照符号２で表示し、円筒形の管状構造体のコア３を備える格納リールと関係付けられている。該コアと同心状の２つのディスク状フランジ４が上記コアの両端と関係付けられている。コード５は所定の引張り強度に従って上記コア３に巻き取られ、該コードは、並べた関係に配置され、ディスク状フランジ４に接するスペース内にて重なり合った包装状態に配置された複数のコイル５ａを形成する。
【００１９】
上述のように、該装置には、それ自体公知の方法にて、少なくとも一つのディスク状フランジ４の円周方向縁部４ａに形成された少なくとも一つの係合シート６が形成される。該係合シート６は、例えば一つの貫通穴から成っており、コア３に巻き取ったコード５の一端部分７をこの貫通穴を通じて挿入する。端部分７が貫通穴６を通じて摺動可能に係合することで、リール２に関する端部分の円周方向の位置を固定することが可能となる。
【００２０】
また、該装置は、コード５の端末部分７ａを固着すべく、ディスク状フランジ４の外面に締結された、概ね符号８で示した少なくとも一つのクリップを備えている。
【００２１】
独自の方法にて、該クリップ８には、相互に並んだ関係に配置された位置にてディスク状フランジ４の外面４ａから突出する一対の支持タブ９が設けられている。例えば、ディスク状フランジ４に打ち抜き工程を行って形成されたこの支持タブ９は、それぞれの関節接合シート９ａを形成し、一対の端末付属部分１０がフランジ４の外面４ｂに対して平行な枢軸線「Ｘ」に従ってこの関節接合シート９ａ内に作用可能に係合する。上記端末付属部分１０は、対向位置にて、ハーモニック鋼材料で形成することが望ましい、弾性的な細線状要素１１から成る端部分を形成する。該端部分は、ディスク状フランジ４の外面４ｂ付近にて平行に配置された共通面内に位置する連続的な対向部分１１ａに従って曲げる。
【００２２】
より具体的には、この連続的な対向部分１１ａは、弾性的な細線状要素１１の伸長部分内に、略半径方向に枢軸線「Ｘ」まで伸長する少なくとも一つの保持ループ１２と、該保持ループ１２の反対側にて枢軸線「Ｘ」から半径方向に突出する少なくとも一つの逆方向ループ１３とを形成する。好適な実施例において、並んだ関係で平行に配置された少なくとも一対の保持ループ１２が細線状要素１１の伸長部分内に配置され、該逆方向ループ１３は、保持ループに関して略中心位置に配置されている。
【００２３】
図２に明確に示すように、保持ループ１２の各々は、コード５の端末部分７ａに作用可能に係合し、該端末部分をディスク状フランジ４の外面４ｂに対して保持する。一方、逆方向ループ１３は、ディスク状フランジ４と当接関係に相互作用し、外面とそれ自体の保持ループとの間に端末部分７ａを取り付けたとき、保持ループ１２が外面４ｂから動いて離れる動作に弾性的に抵抗する。
【００２４】
換言すれば、外面４ｂと保持ループ１２との間に端末部分７ａを押し込め嵌めしたことにより、保持ループ１２は、端末付属部分１０の枢軸線「Ｘ」を中心として角度を為して変位する。しかし、面４ａに対する逆方向ループ１３の作用により、この角度を為す変位に伴なって細線状要素１１に沿って弾性的変形が生じ、該変形の反動力により、端末部分７ａ、外面４ｂ、保持ループ１２の間には、端末部分７ａを固定状態に締め付けるのに十分な摩擦力が発生する。
【００２５】
弾性的な細線状要素１１の幾何学的及び寸法上のパラメータは、過度に大きい力を必要とせず、また、細線状要素に沿って及びコード５の端部分の上に圧縮力を集中させることなく、端部分７を良好に締結し得るように選択することが有利である。この点に関し、直線状の全体的な伸長程度が８０ｍｍ乃至１２０ｍｍであり、その断面外形が１乃至１．５ｍｍの直径となる細線状要素１１が提供される。また、保持ループ１２の各々は、枢軸線「Ｘ」から１５ｍｍ乃至１８ｍｍの範囲の距離だけ離間された頂点１２ａを有するように提供される。
【００２６】
一方、逆方向ループ１３は、枢軸線「Ｘ」から５ｍｍ乃至１０ｍｍの範囲だけ離間された頂点１３ａを有する。
【００２７】
本発明は重要な利点を実現する。
【００２８】
実際上、当該装置に関係付けられたクリップの製造に採用される措置は、強く引締めた接続具によって締結された従来技術のクリップと比較して、内部の力の分散を最適にするものである。その結果、本発明の装置は、信頼性が増し、リールをその後に再使用することを実際上不可能にするクリップの頻繁な破損に伴う全ての問題点を解決することを可能にする。実際上、クリップが破損すると、コードは、最早、リールにクランプされていないから、そのコイルは、緩み且つ絡まってしまうため、このため、コードを再使用する前に、そのコードを再度、別のリールに巻き取ることが必要となる。
【００２９】
更に、本発明の装置は、クリップが破損した場合でさえも、弾性的な細線状要素１１の交換が容易であるため、略直ちに、使用可能に修旧することが出来る。
【００３０】
一方、多くの公知の装置において、強く引締めた接続具のため、クリップが破損したときクリップの交換はかなり面倒であり、リールの製造所でなければ行い得ない。実際上、かかる交換のためには、破損したクリップを除去するため、ディスク状フランジのクリップ止めした縁部に対して、新たなクリップを締結する更なるクリップ止め作業が必要となる。
【００３１】
また、本発明の装置を使用可能に修旧することは、支持タブ９の一方、又はその双方が破損した場合でも、容易に為し得ることを認識すべきである。実際上、溶接工程によって、ディスク状フランジ４の外面４ｂに固定した金属ブッシュ又はその他の関節接合要素を上記タブに代えて使用することが容易である。リールの製造所以外の場所でも容易に為し得るかかる作業は、その溶接によって生じた熱が上記クリップのハーモニック鋼の弾性的性質を回復不能に変化させるから、公知の技術のクリップに関連しては行い得ない。
【００３２】
本発明は、コードを該当する格納リールにクランプする実施例にのみ限定されるものではなく、上記細線状要素の一部分、又は上記板状要素の一縁部をクリップと該当する静止面との間に取り付けることにより、任意の細線状又は板状要素を所定の静止面にクランプする実施例にも有利に利用可能であることは勿論である。
【００３３】
本発明の目的上、上記静止面の上に突起タブが存在することは必須なものではない。実際上、本発明のクリップが上記静止面に対して平行に配置された枢軸線の周りで回転可能な方法にて係合することを可能にするものであるならば、例えば、静止面の厚さ部分に形成された貫通穴、又は空洞のような任意の型式の保持手段を使用することが可能である。
【００３４】
上述の本発明には、多数の変形例及び応用例が実施可能であることは勿論であり、これらは、全て特許請求の範囲に包含されるものである。
【図面の簡単な説明】
【図１】本発明を具体化する装置が関係付けられるワイヤー等の格納リールの斜視図である。
【図２】図３の線ＩＩ−ＩＩに沿った断面図である。
【図３】本発明の装置に関係付けられたクリップの拡大正面図である。
【符号の説明】
１  ワイヤー等の固着装置          ２  格納リール
３  コア                          ４  ディスク状フランジ
４ａ  ディスク状フランジの円周方向縁部    ４ｂ  ディスク状フランジの外面
５  コード                        ５ａ  コイル
６  シート                      ７  コードの端部分
７ａ  コードの端末部分            ８  クリップ
９  支持タブ                      １０  端末付属部分
１１  細線状要素                  １２  保持ループ
１３  逆方向ループ
【図１】
0003605156.tif 000002
【図２】
0003605156.tif 000003
【図３】
0003605156.tif 000004